(57)【要約】【課題】釣用リールに対するバッテリの取付けおよび取外しを迅速かつ容易に行うことができるバッテリ結合装置を提供すること。【解決手段】釣用リール１４の給電部２６と給電用バッテリ１６の接続部３６との一方に凹状の周方向溝３４を設け、他方に、この周方向溝３４に係脱可能な球状部材５２を設け、この球状部材５２と周方向溝３４との係脱を、操作部材５６を通じて制御することにより釣用リール１４に給電用バッテリ１６を着脱可能としたバッテリ結合装置１０。【選択図】  図２
2007295857.tif 000002
【特許請求の範囲】
【請求項１】
釣用リールの給電部と給電用バッテリの接続部との一方に凹状の係合部を設け、他方に、この係合部に係脱可能な係止部材を設け、この係止部材と係合部との係脱を、操作部材を通じて制御することにより釣用リールに給電用バッテリを着脱可能としたことを特徴とするバッテリ結合装置。
【請求項２】
前記釣用リールの給電部は、内蔵したスプール駆動モータに電力を供給する端子と、この端子を囲みかつ釣用リールのリール本体で支えられる筒状部とを有し、前記バッテリの接続部は、電極を形成する端子と、この端子を囲みかつバッテリのボディで支えられる筒状部とを有し、これらの釣用リールの筒状部とバッテリの筒状部との一方に前記係合部が設けられ、他方に前記係止部材が設けられることを特徴とする請求項１に記載のバッテリ結合装置。
【請求項３】
前記操作部材は、前記係止部材が設けられた筒状部に設けられることを特徴とする請求項２に記載のバッテリ結合装置。
【発明の詳細な説明】
【技術分野】
【０００１】
本発明は、釣用リールに給電用バッテリを着脱可能とするバッテリ結合装置に関する。
【背景技術】
【０００２】
釣り人の立つ釣り位置から離隔した位置に置いた重くかつ大容量のバッテリから、長い給電コードを用いてスプール駆動用モータに電力を供給する方式に代え、釣用リールに小型かつ軽量の給電用バッテリを直接接続し、釣操作の邪魔になる長い給電コードを引き回すことなく、釣り操作を行う方式が提案されている（例えば特許文献１参照）。
【特許文献１】特開２００６−８７４２６
【発明の開示】
【発明が解決しようとする課題】
【０００３】
このような釣用リールとバッテリとの連結結合は、バッテリ側のコネクタである連結部に回転可能でかつ抜け止めされた締付けリングを、釣用リール側のコネクタである給電接続部の雄ねじに螺合することにより行われている。締付けリングと雄ねじとの螺合による連結結合は、釣用リールとバッテリとを極めて強固かつ確実に一体化し、釣り操作を容易にするものであるが、しかし、バッテリの取付け操作に時間がかかる。特に、揺れる船上で行う場合は、手元が揺れ、釣用リールにバッテリを迅速に取付けることができず、釣り具の用意が遅れる虞がある。
【０００４】
本発明は、このような事情に基づいてなされたもので、例えば揺れる船上であっても、釣用リールに対するバッテリの取付けおよび取外しを迅速かつ容易に行うことができるバッテリ結合装置を提供することを目的とする。
【課題を解決するための手段】
【０００５】
上記目的を達成するため、本発明のバッテリ結合装置は、釣用リールの給電部と給電用バッテリの接続部との一方に凹状の係合部を設け、他方に、この係合部に係脱可能な係止部材を設け、この係止部材と係合部との係脱を、操作部材を通じて制御することにより釣用リールに給電用バッテリを着脱可能としたことを特徴とする。
【０００６】
前記釣用リールの給電部は、内蔵したスプール駆動モータに電力を供給する端子と、この端子を囲みかつ釣用リールのリール本体で支えられる筒状部とを有し、前記バッテリの接続部は、電極を形成する端子と、この端子を囲みかつバッテリのボディで支えられる筒状部とを有し、これらの釣用リールの筒状部とバッテリの筒状部との一方に前記係合部が設けられ、他方に前記係止部材が設けられることが好ましい。
【０００７】
前記操作部材は、前記係止部材が設けられた筒状部に設けることができる。
【発明の効果】
【０００８】
本発明のバッテリ結合装置によると、操作部材を操作するだけで凹状の係合部と係止部材との係脱を制御することができ、揺れる船上であっても、釣用リールに対するバッテリの取付けおよび取外しを迅速かつ容易に行うことができる。
【０００９】
釣用リールのスプール駆動モータに電力を供給する端子を囲む筒状部と、バッテリの電極を形成する端子を囲む筒状部との一方に前記係合部が設けられ、他方に前記係止部材が設けられる場合には、これらの筒状部を介して釣用リールに対してバッテリを確実に支えることができる。
【００１０】
また、操作部材を、係止部材が設けられた筒状部に設ける場合には、この筒状部で係止部材を直接制御することができ、迅速かつ簡単に操作することができる。
【発明を実施するための最良の形態】
【００１１】
図１から図３は、本発明の好ましい実施形態によるバッテリ結合装置１０を示す。このバッテリ結合装置１０は、釣り竿１２に取付けた釣用リール１４に、給電用バッテリ１６を簡単かつ確実に取付けおよび取外し可能とするものである。
【００１２】
この釣用リール１４は、リール本体１８の両側に配置した一対の側板１８ａ間に、図示しないスプール軸を介してスプールが回転可能に支持されている。先端にハンドルノブ２０ａを有するハンドル２０が一方の側板１８ａ側に配置され、この側板１８ａで支えられたハンドル軸（図示しない）を介して、このハンドル２０の回転をリール本体１８内に配置された駆動機構に伝達することができる。
【００１３】
通常と同様に、このスプールは、一方の側板１８ａに設けたハンドル２０を介する手動操作で形成される駆動力により、リール本体１８内に配置された公知の駆動機構を介して回転され、あるいは、リール本体１８のスプール前方の側板１８ａ間にモータケースを介して収容された公知のスプール駆動モータにバッテリ１６から電力供給する電動操作で形成される駆動力により、動力伝達機構を介して回転され、このスプール上に釣り糸が巻回される。
【００１４】
電動操作による駆動力で釣り糸を巻取る際は、リール本体１８に通常と同様に取付けられたスプール駆動モータのモータ出力調節用操作部を操作することにより、リール本体１８に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣り糸の巻取り速度を制御することができる。
【００１５】
このリール本体１８の上面の前方部位には、通常の電動リールと同様に、制御部２２を配置してあり、例えば、釣り糸の繰出し量（糸長）、棚位置等の種々の制御機能，制御条件等を表示する液晶表示部を配置し、更に、棚位置を設定する棚取りボタン、糸長計測値の値をゼロにリセットするリセットボタン、および、押込んでいるときにのみスプール駆動モータを駆動させ、解放したときに停止して微妙な巻上操作を可能とする寸動ボタン等の種々のボタンあるいはスイッチ類を配置してある。
【００１６】
通常と同様に、リール本体１８には、クラッチ機構（図示しない）も設けられており、このクラッチ機構を通じて、スプール軸に駆動連結するスプール駆動モータあるいはハンドル２０で形成される駆動力を、スプールに伝達しあるいはスプールから遮断することができる。クラッチ機構がスプール軸をスプール駆動モータおよびハンドル２０から分離した状態（スプールフリー状態）で、ハンドル２０を回転させると、図示しない復帰機構を介して、スプール軸が元の状態（巻取状態）に復帰する。これにより、スプール軸と一体化されているスプールを、スプール駆動モータあるいはハンドル２０が形成する駆動力で回転することができる。符号２４は、スプールフリー状態におけるスプールの回転に適度な制動力を掛けて過回転を防止する調節ねじを示す。
【００１７】
更に、リール本体１８の下部前方の、ハンドル２０から離隔した側の側板１８ａの下部で、リール本体１８を保持した手と干渉しない位置に、給電部２６を下方に向けて配置してある。この給電部２６はリール本体１８内のスプール駆動モータに外部電力源から電力を供給するもので、例えば船の電力源、発電機、大型バッテリ等の外部電源から延びる通常の給電コードのプラグであるケーブルコネクタ（図示しない）を相手方コネクタとして嵌合するものであってもよい。あるいは、バッテリ１６のみを電気的かつ機械的に連結するものであってもよい。
【００１８】
本実施形態では、この給電部２６は、リール本体１８内に水が浸入するのを防止する防水構造の例えばオス型ソケットとして形成してある。この給電部２６は、リール本体１８に内蔵したスプール駆動モータに電力を供給する２本のピン形コンタクトを端子２８として突出させ、リール本体１８で支えられる筒状部３０でこの端子２８を囲んである。この端子２８は、筒状部３０で形成される凹部３２内に配置され、この凹部３２に嵌合される相手方コネクタと電気的に接続される。この給電部２６は、筒状部３０が端子２８を越えて突出しており、バッテリ１６の後述する接続部にロック係合する凹状の係合部である周方向溝３４を形成してある。
【００１９】
このような釣用リール１４を釣り竿１２に取付けるため、リール本体１８には釣り竿１２の長手方向に沿って前後に延びる取付脚部１４ａがその下側に配置されている。また、釣り竿１２には、この取付脚部１４ａを介して、釣用リール１４を取付けるためのリールシート１２ａが設けられている。このリールシート１２ａは、取付脚１４ａが載置される取付脚載置面８の後方に、取付脚部１４ａの後端部を受入れる固定カバー６ａを配置し、前方に配置した移動カバー６ｂを回転させることにより釣り竿１２の長手方向に沿って前後動させることができる。
【００２０】
このリールシート１２ａに釣用リール１４を取付ける場合は、釣用リール１４の取付脚１４ａの後端部をこのリールシート１２の固定カバー６ａ内に挿入した状態で、取付脚部１４ａを取付脚載置面８上に載置する。この後、移動カバー６ｂを回転させつつ取付脚部１４ａの先端部を移動カバー６ｂ内に収容して後方に押込み移動させると、釣用リール１４の取付脚部１４ａは、固定カバー６ａおよび移動カバー６ｂ間で挟持されつつ取付脚載置面８上に押圧される。これにより、取付脚部１４ａがリールシート１２ａに強固に取付けられる。逆に、移動カバー６ｂをねじ戻して前方に移動することにより、釣り竿１２のリールシート１２ａから釣用リール１４を取外すことができる。
【００２１】
本実施形態では、このように釣り竿１２に取付けられた釣用リール１４にバッテリ結合装置１０を介して結合されるバッテリ１６は、例えばリチウムイオン電池等の携帯可能な小型かつ軽量構造に形成されている。
【００２２】
このバッテリ１６は、外部を樹脂製の外装部材すなわちボディ１６ａで覆った密閉構造に形成され、図中、上側に示す先端側には、釣用リール１４の給電部２６に電気的および機械的に連結される接続部３６が突出した状態に配置されている。この接続部３６は、上述の給電部２６と共に、釣用リール１４にバッテリ１６を取付けおよび取外すためのバッテリ結合装置１０を形成する。
【００２３】
特に、図３に拡大して示すように、この接続部３６は、バッテリ１６の電極を形成するソケット型のコンタクトを端子３８として有するメス型プラグ状に形成してある。このこれらの端子３８は周部を合成樹脂４０で囲んで、端子３８の周部を密封し、ボディ部１６ａ内に水等が侵入するのを防止すると共に、給電部２６の凹部３２に嵌合する際にこの給電部２６の筒状部３０と液密状態に嵌合する挿入部４２が形成される。更に、この接続部３６には、先側４４ａがこの挿入部４２との間に環状の間隙４３を形成して囲み、ボディ１６ａに近接する元側４４ｂが挿入部４２との間にＯリング４６介挿した段付内孔を有し、ボディ１６ａと一体にあるいは別体に形成されてこのボディ１６ａで支えられる筒状部４４が設けられている。この筒状部４４の基側４４ｂの内端部に係合する抜け止めリング４８が挿入部４２に係止されており、挿入部４２がボディ１６ａに対して軸方向すなわち長手方向に移動するのが阻止される。
【００２４】
この挿入部４２は、軸方向に沿う中間位置に、外周に突出する突状部４２ａを有し、この突状部４２ａにより、給電部２６の筒状部３０に形成された内周側段部３０ａ（図３参照）に係合させて位置決めし、あるいは、水等の侵入を阻止するシール部として作用させることができる。また、この挿入部４２は、端子３８よりも突出した合成樹脂４０の部分を、給電部２６の端子２８の周部に対して液密状態に係合させることも可能である。
【００２５】
本実施形態では、筒状部４４の先側４４ａは、釣用リール１４の給電部２６に設けられた筒状部３０を受入れ可能な内面と、先端側が周溝４５により縮径された段付円筒状の外面とを有する。この筒状部４４の先端側の薄肉部には、挿入部４２が給電部２６の筒状部３０に嵌合されて給電部２６の端子２８と接続部３６の端子３８とが電気的および機械的に完全に嵌合したときに、給電部２６の筒状部３０の外周面に形成された周方向溝３４と軸方向に整合する位置に、この筒状部４４を貫通する複数の半径方向孔５０が周方向に沿って間隔をおいて形成されている。
【００２６】
これらの半径方向孔５０は筒状部４４の中心軸線に向けて縮径されたテーパ状に形成され、この先側４４ａの肉厚よりも僅かに大径でかつ半径方向孔５０の最小径よりも大径の球状体５２が係止部材として、この変形方向孔５０内に収容される。この球状体５２は、半径方向孔５０内を移動し、筒状部４４の内面から突出する位置と、筒状部４４の内面から引き込められた位置との間を移動することができる。球状体５２が筒状部４４の内面から突出したときに、給電部２６の筒状体３０に形成された上述の周方向溝３４に係合し、これらの給電部２６と接続部３６とをロック状態とし、相対移動を阻止することができる。
【００２７】
また、筒状部４４の外側には、球状体５２の移動を制御する操作部材５６を軸方向に移動自在に装着してある。本実施形態の操作部材５６は、周溝４５内を軸方向に沿って移動自在のリング状に形成してあり、一端を筒状部４４で支えられたコイルバネ５８により筒状部４４の先端側に向けて付勢され、例えばＣリング等の図示しないストッパにより、図３に示す位置に保持される。この位置では、操作部材５６は、球状体５２を筒状部４４の内方に押圧し、内面から突出させた状態に保持する。
【００２８】
本実施形態の操作部材５６は、周溝４５の外側にスリーブ状の延長部５６ａを配置してある。この延長部５６ａは筒状部４４の先側４４ａとの間で周溝４５を区画し、この周溝４５内に収容したコイルバネ５８を保護する。更に、元側４４ｂまで延設されることにより、この延長部５６ａを容易に把持することができ、操作部材５６を筒状部４４の軸方向に沿って容易に移動することができる。
【００２９】
図１は、このように形成されたバッテリ結合装置１０により、バッテリ１６を釣用リール１４に取付ける状態を示す。先ず、延長部５６ａを把持して操作部材５６を筒状部４４の元側４４ｂ側に押下げる。操作部材５６は半径方向孔５０（図３参照）を開放し、球状体５２の押圧を解除する。球状体５２を収容する半径方向孔５０が、筒状体４４の外周側に向けて拡径しているため、バッテリ１６の接続部３６を上方に配置すると、球状体５２が半径方向孔５０内を移動して筒状体４４の内面から外周側に引き込められ、延長部５６ａにより、外周側に移動した状態で支えられる。
【００３０】
このように操作部材５６を押下げた状態でバッテリ１６の接続部３６を移動し、挿入部４２を釣用リール１４の給電部２６に配置された筒状部３０内に挿入する。挿入部４２内の端子３８が給電部２６に設けられた端子２８と嵌合し、電気的かつ機械的に接続される。この挿入部４２を更に筒状部３０内に挿入し、挿入部４２と筒状部４４との間の環状溝４３内に筒状部３０を挿入し、この筒状部３０の周方向溝３４と、筒状部４４に形成した半径方向孔５０とを互いに整合させる。周方向溝３４と半径方向孔５０との相対位置は、例えば突状部４２ａと筒状部３０の内周側段部３０ａ（図３参照）とが係合した時に対向するように設定することができる。
【００３１】
この後、延長部５６ａを解放すると、コイルバネ５８の付勢力により、操作部材５６は図２および図３に示す位置に移動し、球状体５６を内方に押圧し、筒状体３０の周方向溝３４に嵌合した状態とする。釣用リール１４の給電部２６に設けられた筒状体３０と、バッテリ１６の接続部３６に設けられた筒状体４４とが周方向溝３４と球状体５２とを介して互いにロックされた状態に保持され、これらの筒状部３０，４４を介してバッテリ１６を釣用リール１４に対して確実に支えることができる。一方、図２および図３に示す取付け状態から、バッテリ１６を取外す場合は、上述と逆に、延長部５６ａを介して操作部材５６を押下げ、球状体５２と周方向溝３４との嵌合を解除する。ロックを解除されたバッテリ結合装置１０は、バッテリ１６を下方に引張るだけで、釣用リール１４の給電部２６からバッテリ１６の接続部３６を迅速かつ簡単に取外すことができる。
【００３２】
したがって、上述のバッテリ結合装置１０によると、バッテリ１６の接続部３６に設けられた操作部材５６をその延長部５６ａを介して、図１に矢印Ａで示す方向に移動するだけのワンタッチ操作で、凹状の係合部である周方向溝３４と係止部材である球状部材５２との係脱を直接制御することができ、揺れる船上であっても、釣用リール１４に対するバッテリ１６の取付けおよび取外しを迅速かつ容易に行うことができる。
【００３３】
図４から図６は、他の実施形態によるバッテリ結合装置１０Ａを示す。この実施形態は、基本的には上述の実施形態と同様であるため、同様な部位には同様な符号を付し、その詳細な説明を省略する。  
この実施形態のバッテリ結合装置１０Ａは、接続部３６の筒状部４４の外周に周方向溝３４を形成し、給電部２６の筒状部３０に半径方向孔５０を形成してある。
【００３４】
バッテリ１６の接続部３６は、筒状部４４が挿入部４２を直接囲んでいる。また、釣用リール１４の給電部２６は、筒状部３０の先側が外周に周溝４５を形成され、内周側段部３０ａに接続部３６の筒状部４４の先端を当接させることができる。この筒状部４４の先端が筒状部３０の内周側段部３０ａに当接したときに、周方向溝３４と半径方向孔５０とが整合するように配置することが好ましい。
【００３５】
以上、本発明の好ましい実施形態について説明してきたが、本発明は上述の実施形態に限るものではなく、種々の変形あるいは変更が可能である。例えば、操作部材５６の延長部５６ａに滑り止め手段を設けることもでき、更に、バッテリ以外にも、例えば通常の給電用ケーブルも適宜に接続するようにしてもよい。
【図面の簡単な説明】
【００３６】
【図１】本発明の好ましい実施形態によるバッテリ結合装置を、釣用リールからバッテリを取外した状態で示す説明図。
【図２】図１のバッテリ結合装置により、バッテリを釣用リールに取付けた状態の説明図。
【図３】バッテリ結合装置の拡大説明図。
【図４】他の実施形態によるバッテリ結合装置を図１と同様な状態で示す説明図。
【図５】図４のバッテリ結合装置の図２と同様な説明図。
【図６】図４のバッテリ結合装置の図３と同様な説明図。
【符号の説明】
【００３７】
１０…バッテリ結合装置、１４…釣用リール、１６…バッテリ、２６…給電部、３６…接続部、３４…周方向溝（係合部）、５２…球状部材（係止部材）、５６…操作部材。
【図１】
2007295857.tif 000003
【図２】
2007295857.tif 000004
【図３】
2007295857.tif 000005
【図４】
2007295857.tif 000006
【図５】
2007295857.tif 000007
【図６】
2007295857.tif 000008